(57)【要約】【課題】マルチメディア放送では数多くの番組が放送されるため、視聴したい番組を選局するまでに多くの時間を要する。【解決手段】デジタル放送を受信する第１、第２の受信手段2、14と、受信した信号を映像、音声、その他信号に分離する第１、第２の分離手段6、17と、復号する第１、第２の復号手段８、１８と、映像および音声信号を切替制御する表示制御部１１と、前記各手段を制御する制御部１９とを備え、第１の受信手段２は選局情報および番組情報を受信し、一方、第２の受信手段１４においてはユーザーの選択に応じて制御部により指定された番組を受信する。【選択図】図１
2010034642.tif 000002
【特許請求の範囲】
【請求項１】
デジタル放送を受信する第１、第２の受信手段と、
前記受信手段からの信号を映像、音声、その他信号に分離する第１、第２の分離手段と、
前記分離手段からの映像、音声信号を復号する第１、第２の復号手段と、
前記複数の復号手段からの映像および音声信号を切替制御する表示制御部と、
前記表示制御部からの映像信号を表示する表示部と、前記表示制御部からの音声信号を出力する音声出力部と、
前記第１、第２の受信手段および前記第１、第２の分離手段および前記第１、第２の復号手段および前記表示制御部を制御する制御部と、を備え、
前記第１の受信手段は選局情報および番組情報を受信し、前記第２の受信手段は前記制御部により指定された番組を受信することを特徴とするデジタル放送受信装置。
【請求項２】
前記第１、第２の受信手段は、複数の番組と、前記番組を選局するための選局情報および番組情報とが、複数の伝送チャネルに分割されて伝送されるデジタル放送を受信することを特徴とする請求項１に記載のデジタル放送受信装置。  
【請求項３】
前記第１の受信手段は選局情報および番組情報のみを受信することを特徴とする請求項１に記載のデジタル放送受信装置。
【請求項４】
前記第１の受信手段が番組を受信する場合、前記第２の受信手段は、選局情報および番組情報の受信を停止することを特徴とする請求項１に記載のデジタル放送受信装置。
【請求項５】
前記制御部は、前記第１の受信手段により取得した選局情報からユーザーにより指定された番組の選局情報を取得し、前記選局情報をもとに前記第２の受信手段に対して前記番組を受信するように制御することを特徴とする請求項１に記載のデジタル放送受信装置。
【請求項６】
前記第１の受信手段は前記制御部より指定された番組を受信し、前記番組の視聴を決定した場合に表示制御部で表示を切り替えることにより選局することを特徴とする請求項１に記載のデジタル放送受信装置。
【請求項７】
番組表を取得するステップと、前記番組表を表示部に表示する番組表表示ステップと、前記番組表の中から選択された一つの番組を認識する選択認識ステップと、前記認識ステップによって認識された番組に対応する周波数を取得し、受信する選択番組受信ステップと、
前記番組表の中からさらに視聴の決定を認識する決定認識ステップと、前記決定を認識した場合に前記表示部における前記番組表の表示を前記決定認識ステップにて認識された番組を前記表示部に切替え表示する切替表示ステップと、と有することを特徴とするデジタル放送選局方法。
【発明の詳細な説明】
【技術分野】
【０００１】
本発明は、デジタル放送受信装置およびその選局方法に関する。
【背景技術】
【０００２】
近年では、テレビジョン放送などのデジタル放送が実施されており、様々な機器を用いてデジタル放送を受信することができる。日本の地上デジタルテレビジョン放送（ＩＳＤＢ−Ｔ）では、１つのチャンネルが１３のセグメントに分かれた構造となっており、ハイビジョン放送では１２セグメント割り当てられている。モバイル端末向けにおいては、画面が小さいため低解像度で良く、１セグメントが割り当てられており、高性能のアンテナや高性能の受信装置を利用できない携帯機器であっても比較的放送電波の受信が容易となっている。
【０００３】
また、最近ではＩＳＤＢ−Ｔmm（ＩＳＤＢ−Ｔ Mobile Multimedia）と呼ばれる携帯機器向けのマルチメディア放送のサービスに関する標準化、規格化が進んでいる。ＩＳＤＢ−Ｔmmでは、１つのチャネルの１３のセグメントうち、全てのセグメントを携帯機器向けのサービスとして使用できるため、１つのチャネルでより多くの番組を放送することが可能となる。
【０００４】
従来より、ＤＶＤレコーダ装置など、デジタル放送の受信装置においては、複数の受信回路を備えて選局する、いわゆるダブルチューナーを搭載したものが知られている。
【０００５】
また、例えば特許文献１においては、複数の受信回路を備えた受信装置において、番組受信を行っていない側の受信回路により常に最新の選局情報を取得し、所望の番組の選局指令が入力された時に、最新の選局情報を用いて所望の番組の選局を実施することを提案している。
【特許文献１】特開２０００−１３６９６号公報
【発明の開示】
【発明が解決しようとする課題】
【０００６】
しかしながら、ＩＳＤＢ−Ｔmmのようなマルチメディア放送においては、数多くの番組が放送されるため、上記のように複数の受信回路を有していたとしても、結局、視聴したい番組を選局するまでに多くの時間を要する。
【０００７】
本発明は、複数の番組が放送されるサービスであっても、高速な選局が可能で、しかも番組視聴をする場合は、番組表の取得に使用していない番組情報受信回路は停止することにより、省電力で高速な選局が可能なデジタル放送受信装置および選局方法を提供することを目的とする。
【課題を解決するための手段】
【０００８】
上記目的を実現するために、本発明におけるデジタル放送受信装置は、デジタル放送を受信する第１、第２の受信手段と、前記第１、第２の受信手段からの信号を映像、音声、その他信号に分離する第１、第２の分離手段と、前記第１、第２の分離手段からの映像、音声信号を復号する第１、第２の復号手段と、前記第１、第２の復号手段からの映像および音声信号を切替制御する表示制御部と、前記表示制御部からの映像信号を表示する表示部と、前記表示制御部からの音声信号を出力する音声出力部と、前記第１、第２の受信手段および前記第１、第２の分離手段および前記第１、第２の復号手段および前記表示制御部を制御する制御部と、を備え、前記第１の受信手段は選局情報および番組情報を受信し、前記第２の受信手段は前記制御部により指定された番組を受信することを特徴とするデジタル放送受信装置である。
【０００９】
また、本発明におけるデジタル放送受信装置の選局方法において、前記制御部は、前記第１の受信手段により取得した選局情報からユーザーにより指定されている番組の選局情報を取得し、前記選局情報をもとに前記第２の受信手段に前記番組を受信するように制御することを特徴とするものである。
【発明の効果】
【００１０】
本発明によれば、デジタル放送受信装置において、第１チューナーで番組表を受信し、第２チューナーは番組表で視聴する可能性のある番組を予め受信し、ユーザーが視聴を決定した場合は番組表か番組の視聴へ切り替えることにより、マルチメディア放送を素早く選局することが可能となる。
【発明を実施するための最良の形態】
【００１１】
（実施形態１）
実施形態１では、デジタルテレビ放送を受信するデジタル放送受信装置について説明する。図１は、実施形態１の受信装置の構成を示すブロック図である。
【００１２】
図１においてワンセグ受信装置は、第１アンテナ１、第２アンテナ１３、フロントエンド部５（以下FE部５と表記する）、第１チューナー部２、第２チューナー部１４、第１OFDM復調部３、第２OFDM復調部１５、第１誤り訂正部４、第２誤り訂正部１６、トランスポートデコード部７（以下TD部７）、第１多重分離部６、第２多重分離部１７、MPEGデコード部９、第１AVデコード部８、第２AVデコード部１８、表示制御部１１、スピーカ１０（音声出力部）、表示部１２、CPU１９（制御部）、操作部２１、メモリ２０とを備える。
【００１３】
第１アンテナ１、第２アンテナ１３は、UHF帯の１CHから６３CHの電波を受信することができる。
【００１４】
FE部５は、CPU１９より指定されたチャンネルの周波数を選局し、ワンセグの放送信号を出力する。
【００１５】
第１OFDM復調部３、第２ODFM復調部１５は、それぞれ第１チューナー部２、第２チューナー部１４より出力されたワンセグの放送信号をOFDM復調し、MPEG２−TS（Moving Picture Experts Group Phase 2 - Transport Stream、以下単にTSと表記する）を出力する。
【００１６】
続いて、TD部７は、FE部５より出力されたTSをCPU２１により指定されたPID（Packet Identifier）のTSパケットをMPＥGデコード部９に出力する。
放送番組の視聴時おいて、MPEGデコード部９は、TD部７より出力されたTSパケットから、映像と音声のPES（Packetized Elementary Stream）またはES（Elemantary Stream）を抽出し、映像と音声についてそれぞれ復号化する。
復号化された映像は、表示制御部１１に出力され、表示制御部１１はAVデコード部８およびAVデコード部１８の映像を切替制御し、表示部１２に出力する。
また、復号化された音声は、表示制御部１１に出力され、表示制御部１１はAVデコード部８およびAVデコード部１８の音声を切替制御し、スピーカ１０に出力する。
操作部２１はユーザーが入力、操作を行うボタンやタッチパネルなどの入力装置を指す。
【００１７】
図４は、ＩＳＤＢ−Ｔｍｍのサービスイメージ図である。本実施形態では、第１チューナー部２でナビ用チャネルを受信し、第２チューナー部１４で番組用チャネルを受信する。
ここで、放送番組の選局処理について、図２のフローチャートを用いて説明する。
【００１８】
放送番組を視聴する場合に、まず第１チューナー部２にて番組表の受信を行う（ステップ１）。CPU１９は、フロントエンド部５の第１チューナー部２に番組表が伝送されるサブCH（ナビ用チャネル）を受信するように設定を行う。
次に、多重分離部６は、フロントエンド部５から出力されたTSパケットから映像・音声のパケットをAVデコード部８に出力し、データ放送など番組表に必要なパケットをCPU１９に出力する。AVデコード部８は映像・音声を複合化し表示制御部１１に出力する。CPU１９はデータ放送などのパケットを複合化し表示制御部１１に出力する。表示制御部は映像・音声の信号とデータ放送の信号を表示部１２およびスピーカ１０に出力し、番組表を表示する（ステップ２）。表示部１２における番組表の表示例を図３に示す。番組表は番組表示領域２２〜３０と、データ放送表示領域３１に別れており、番組の映像を表示する領域は番組表示領域２２、番組表示領域２３、番組表示領域２４、番組表示領域２５、番組表示領域２６、番組表示領域２７、番組表示領域２８、番組表示領域２９、番組表示領域３０の９つに区分される。音声は9つの表示番組のうち、ユーザーによって選択されている有効な１つの番組のみの音声がスピーカ１０から出力される。ここで、選択されている番組とは、決定前の状態を指し、例えば、ユーザーが表示画面上においてカーソルをあわせた領域に対応する番組、つまり、決定される可能性の高い番組をいう。
【００１９】
ＣＰＵ１９（制御部）は、番組表が伝送される情報から表示部１２で選択されている番組の周波数情報を取得する（ステップ３）。
【００２０】
ここでステップ３の詳細について、図５に番組表からユーザーが選択している有効な番組の周波数情報を取得するフローを用いて説明する。制御部１９は、表示部１２で表示されている番組表と操作部２１からの情報を基に表示部１２で選択されている番組の識別を行う（ステップA１）。次に、ステップA1で識別された番組をもとに制御部１９は多重分離部６からNIT（Network Information Table）の情報を取得するように設定を行う（ステップA２）。NITの情報からステップA1で取得した番組との照合を行い、周波数情報を取得する（ステップA３）。
【００２１】
ここで、図２に戻って、制御部１９は、ステップ３で取得した周波数情報をもとに第２チューナー部１４にステップ３で取得した周波数を設定し、この周波数に対応する放送番組が伝送されるCHを受信する（ステップ４）。
【００２２】
制御部１９は、ユーザーが操作部２１を使って番組表で選択されている番組が変わったことを認識し、有効な番組が変化した場合にはステップ３の処理へ戻り、有効な番組が変化しなかった場合にはステップ６へ遷移する（ステップ５）。
【００２３】
制御部１９は、ユーザーが操作部２１を使って番組視聴を決定した場合にはステップ７へ遷移し、番組視聴を決定しない場合はステップ５へ遷移する（ステップ６）。ここで、番組視聴の決定とは、前述のようにカーソルを合わせた選択状態において、さらにその番組視聴を決定したことを指す。
【００２４】
制御部１９は、ユーザーが操作部２１を使って番組視聴を決定した場合、表示制御部１１を番組表でない信号に切り替える（ステップ７）。
【００２５】
表示部１２およびスピーカ１０は、表示制御部１１から出力された信号を表示する（ステップ８）。
ここで、図６を用いて番組表の選局例を示す。例えば番組表示領域２６がユーザーにより選択され有効になっている時にユーザーが視聴の決定した場合は、上述のステップ７で表示が切り替えられ番組表示領域３２にそれまで表示していた番組の表示領域を拡大することにより選局を行う。すなわち、ユーザーのカーソル移動と連動して、第２チューナー部では、選択されている領域に対応するチャネルの周波数を取得し、選局動作をしている。
【００２６】
ここで、再び図２に戻って、制御部１９は、ユーザーが操作部２１を使って番組表の表示を選択した場合ステップ１０へ遷移し、番組表の表示を選択しない場合はステップ８へ遷移する（ステップ９）。
【００２７】
制御部１９は、ステップ９で番組表の表示が決定した場合、表示制御部１１に番組表の信号を表示部１２とスピーカ１０に出力するように指示する（ステップ１０）。
図６を用いて番組視聴から番組表の表示へ遷移について説明する。ステップ８における番組視聴の表示状態からユーザーにより番組表の表示選択があった場合、ステップ１０により番組表示領域３２の番組が有効となるように番組表における番組表示領域が構成される。
以上の説明した構成によれば、第１チューナー部で番組表を受信し、第２チューナー部は番組表で視聴する可能性のある番組を予め受信し、ユーザーが視聴を決定した場合は番組表か番組の視聴へ切り替えることにより素早く番組を選局することが可能となる。すなわち、番組表で視聴する可能性のある番組の物理CHの情報を予め取得することにより、片方のチューナーでの選局を可能となる。
なお、本実施形態では、２つのチューナーについて、記載しているが、これに限定されるものではなく、複数のチューナーを有するものであればよい。
【産業上の利用可能性】
【００２８】
本発明は、デジタル放送を受信する第１、第２の受信手段と、前記受信手段からの信号を映像、音声、その他信号に分離する第１、第２の分離手段と、前記分離手段からの映像、音声信号を復号する第１、第２の復号手段と、前記複数の復号手段からの映像および音声信号を切替制御する表示制御部と、前記表示制御部からの映像信号を表示する表示部と、前記表示制御部からの音声信号を出力する音声出力部と、前記第１、第２の受信手段および前記第１、第２の分離手段および前記第１、第２の復号手段および前記表示制御部を制御する制御部と、を備え、前記第１の受信手段は選局情報および番組情報を受信し、前記第２の受信手段は前記制御部により指定された番組を受信する構成を有し、ユーザーが視聴を決定した場合に複数の番組から高速で選局することができるので、デジタルテレビ放送受信装置等に有用である。
【図面の簡単な説明】
【００２９】
【図１】ワンセグ受信装置の構成を示すブロック図
【図２】放送番組の選局処理を示すフローチャート
【図３】番組表の表示例を示した図
【図４】ＩＳＤＢ−Ｔｍｍサービスのイメージ図
【図５】番組周波数取得を示すフローチャート
【図６】放送番組の選局例を示す図
【符号の説明】
【００３０】
１    第１アンテナ
１３    第２アンテナ
２    第１チューナー部
１４    第２チューナー部
３    第１OFDM復調部
１５    第２OFDM復調部
４    第１誤り訂正部
１６    第２誤り訂正部
５    FE部
６    第１多重分離部
１７    第２多重分離部
７    TD部
８    第１AVデコード部
１８    第２AVデコード部
９    MPEGデコード部
１０    スピーカ
１１    表示制御部
１２    表示部
１９    CPU
２０    メモリ
２１    操作部
２２、２２、２３、２４、２５、２６、２７、２８、２９、３０、３２    番組表示領域
３１、３３    データ放送表示領域
【図１】
2010034642.tif 000003
【図２】
2010034642.tif 000004
【図３】
2010034642.tif 000005
【図４】
2010034642.tif 000006
【図５】
2010034642.tif 000007
【図６】
2010034642.tif 000008